(57)【要約】【課題】電力回収回路のスイッチングに使用しているトランジスタの耐圧が低くても信頼性を確保でき、かつ安価に電力回収回路を構成することを目的とする。【解決手段】ＰＤＰ２０と、このＰＤＰ２０のアドレス電極に表示データを供給するためのアドレスドライバ回路と、ＰＤＰ２０の表示電極に走査パルスを供給するためのスキャンドライバ回路と、ＰＤＰ２０の表示電極に維持放電させるための維持パルスを供給するためのサステインドライバ回路と、電力回収用コンデンサＣ１を備えかつ維持放電時にＰＤＰ２０から電荷を回収して再利用するための電力回収回路とを有し、電源起動時における電力回収用コンデンサＣ１の電圧を維持放電時の電圧のほぼ１／２の電圧にするための充電回路を設けた。【選択図】図３
2006058426.tif 000002
【特許請求の範囲】
【請求項１】
放電空間を形成して対向する一対の基板上に複数列の表示電極とこの表示電極に交差するように対向配置される複数列のアドレス電極とを設けることにより構成された複数の放電セルを有するプラズマディスプレイパネルと、このプラズマディスプレイパネルの前記アドレス電極に表示データを供給するためのアドレスドライバ回路と、前記表示電極に走査パルスを供給するためのスキャンドライバ回路と、前記表示電極に維持放電させるための維持パルスを供給するためのサステインドライバ回路と、電力回収用コンデンサを備えかつ維持放電時にプラズマディスプレイパネルから電荷を回収して再利用するための電力回収回路とを有し、電源起動時における電力回収用コンデンサの電圧を維持放電時の電圧のほぼ１／２の電圧にするための充電回路を設けたことを特徴とするプラズマディスプレイ装置。
【請求項２】
電力回収回路は、スイッチング用トランジスタと、このトランジスタをオン、オフするドライバ回路と、このドライバ回路の電源用ブートストラップコンデンサとを有し、かつ電源起動時に前記ブートストラップコンデンサを充電する回路を設けたことを特徴とする請求項１に記載のプラズマディスプレイ装置。
【発明の詳細な説明】
【技術分野】
【０００１】
本発明は、大画面で、薄型、軽量のディスプレイ装置として知られているプラズマディスプレイ装置に関するものである。
【背景技術】
【０００２】
プラズマディスプレイ装置は、液晶パネルに比べて高速の表示が可能であり視野角が広いこと、大型化が容易であること、自発光型であるため表示品質が高いことなどの理由から、フラットパネルディスプレイ技術の中で最近特に注目を集めている。
【０００３】
一般に、このプラズマディスプレイ装置では、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００４】
このプラズマディスプレイ装置には、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のもので、その構造は、一方の基板上に平行に隣接した表示電極対を有し、もう一方の基板上に表示電極と交差する方向に配列されたアドレス電極と、隔壁、蛍光体層を有するもので、比較的蛍光体層を厚くすることができ、蛍光体によるカラー表示に適している。
【０００５】
まず、プラズマディスプレイ装置におけるプラズマディスプレイパネルの構造について図９を用いて説明する。図９に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【０００６】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【０００７】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【０００８】
図１０にこのプラズマディスプレイパネルの電極配列を示しており、図１０に示すようにスキャン電極およびサステイン電極とアドレス電極とは、Ｍ行×Ｎ列のマトリックス構成であり、行方向にはＭ行のスキャン電極ＳＣＮ１〜ＳＣＮＭおよびサステイン電極ＳＵＳ１〜ＳＵＳＭが配列され、列方向にはＮ列のアドレス電極Ｄ１〜ＤＮが配列されている。
【０００９】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００１０】
この維持放電では、プラズマディスプレイパネルのすべてのスキャン電極とサステイン電極に周期的な維持パルスを印加させているため、発光に寄与しないスキャン電極、サステイン電極にも周期的な維持パルスが印加されてしまい、パネルへの充放電のための無効電力が増大する課題があった。
【００１１】
このため、無効電力を減少させる方法として、特許文献１に示すような電力回収回路が利用されている。サステインドライバ回路の電力回収回路としては、図１１に示すように、電力回収用コンデンサＣ１、スイッチとしてのＦＥＴからなるトランジスタＱ１〜Ｑ４、ダイオードＤｉ１〜Ｄｉ４、共振コイルＬ１で構成されたものが多く利用されている。なお、図１１において、１０はプラズマディスプレイパネル、１１、１２はプラズマディスプレイパネル１０に接続した電力回収回路で、図１１では一方の電力回収回路１１のみ具体的な回路を示しているが、他方の電力回収回路１２も同様な構成である。この図１１に示す電力回収回路は、プラズマディスプレイパネル１０の容量負荷と共振コイルＬ１を用いて、いわゆるＬＣ共振でパネルの容量に蓄えた電荷を電力回収用のコンデンサＣ１に充電し、次のパネルへの電力供給時に再利用するものである。
【００１２】
図１１において、まず、コンデンサＣ１は維持電圧の約１／２の電圧が蓄えられているものとする。トランジスタＱ３をオンして、共振コイルＬ１へ電流を流す。このとき、共振コイルＬ１はパネル容量と共振してコンデンサＣ１に蓄積された電圧の約２倍の電圧をプラズマディスプレイパネル１０の容量負荷に印加する。
【００１３】
次に、ＬＣ共振時間終了後、すぐにトランジスタＱ１がオンして完全に維持電圧へ引き上げる。パネル内ではこのときに維持放電が発生し、表示として目視できる。維持放電終了後、次の放電のためにパネルに蓄積された電荷を移動させる動作に移行する。トランジスタＱ４がオンしてパネル容量に蓄積された電荷を共振コイルＬ１に流してＬＣ共振させ、電荷をコンデンサＣ１へ移動させる。ＬＣ共振終了後、トランジスタＱ２をオンさせてパネル容量の電位を完全にＧＮＤへ引き下げる。これが維持回収動作の１サイクルで、実際のプラズマディスプレイ装置では、この動作を維持発光の回数分繰り返す。
【特許文献１】特開２０００−３３０５１５号公報
【発明の開示】
【発明が解決しようとする課題】
【００１４】
しかしながら、この方法では、まずコンデンサＣ１に維持電圧の約１／２の電圧がすでに蓄積されていることが前提となっているが、電源起動時には、このコンデンサＣ１は、０電位であり、電荷の蓄積はない。そのため、起動時にはコンデンサＣ１に電荷を蓄積する動作の後にしか、電力回収回路が本来の動作をしない。コンデンサＣ１に電荷が蓄積されるまでの間、トランジスタＱ１は、コンデンサＣ１からのＬＣ共振による電圧上昇がないため、ほとんど０電位から維持電圧である約２００Ｖ前後まで引き上げなければならない。そのため、コンデンサＣ１に電荷が蓄積されるまでの間、トランジスタＱ１の電力損失は大きい。
【００１５】
また、トランジスタＱ１が０電位から約２００Ｖ前後まで急峻に引き上げると、パネルの電極に印加される電圧にリンギングが発生し、トランジスタＱ１、Ｑ２にパルス状の電圧が印加されるようになり、その分のトランジスタ耐圧も必要になる。耐圧上昇は、トランジスタ価格と信頼性に重大な影響がある。
【００１６】
すなわち、従来の電力回収回路では、起動時にトランジスタＱ１，Ｑ２に余分な電圧がかかり、耐圧の高いトランジスタを使用しなければならないという課題がある。特にプラズマディスプレイ装置を駆動するための維持パルスが百数十Ｖから二百数十Ｖ程度の電位差で振幅しており、耐圧の高いトランジスタを使用しているが、さらに起動時にかかる余分な電圧のために、より耐圧の高いトランジスタを使用しなければならないことで、そのためコストがかかるという課題があった。
【００１７】
本発明はこのようなプラズマディスプレイ装置において、電力回収回路のスイッチングに使用しているトランジスタの耐圧が低くても信頼性を確保でき、かつ安価に電力回収回路を構成することを目的とするものである。
【課題を解決するための手段】
【００１８】
上記目的を達成するために本発明のプラズマディスプレイ装置は、放電空間を形成して対向する一対の基板上に複数列の表示電極とこの表示電極に交差するように対向配置される複数列のアドレス電極とを設けることにより構成された複数の放電セルを有するプラズマディスプレイパネルと、このプラズマディスプレイパネルの前記アドレス電極に表示データを供給するためのアドレスドライバ回路と、前記表示電極に走査パルスを供給するためのスキャンドライバ回路と、前記表示電極に維持放電させるための維持パルスを供給するためのサステインドライバ回路と、電力回収用コンデンサを備えかつ維持放電時にプラズマディスプレイパネルから電荷を回収して再利用するための電力回収回路とを有し、電源起動時における電力回収用コンデンサの電圧を維持放電時の電圧のほぼ１／２の電圧にするための充電回路を設けたことを特徴とする。
【００１９】
また、電力回収回路は、スイッチング用トランジスタと、このトランジスタをオン、オフするドライバ回路と、このドライバ回路の電源用ブートストラップコンデンサとを有し、かつ電源起動時に前記ブートストラップコンデンサを充電する回路を設けたことを特徴とする。
【発明の効果】
【００２０】
本発明によるプラズマディスプレイ装置によれば、電源起動直後から電力回収用コンデンサに電荷を蓄積させることで、電力回収回路のスイッチングに使用しているトランジスタにかかる電圧を大幅に低下させることができる。
【発明を実施するための最良の形態】
【００２１】
以下、本発明の一実施の形態によるプラズマディスプレイ装置について、図１〜図８を用いて説明するが、本発明の実施の態様はこれに限定されるものではない。
【００２２】
図１に本発明の一実施の形態におけるプラズマディスプレイ装置の表示駆動回路の全体構成を示している。図１に示すように、プラズマディスプレイパネル（ＰＤＰ）２０、アドレスドライバ回路２１、スキャンドライバ回路２２、サステインドライバ回路２３、放電制御タイミング発生回路２４、電源回路２５、２６、Ａ／Ｄコンバータ（アナログ・デジタル変換器）２７、走査数変換部２８、及びサブフィールド変換部２９を備えている。
【００２３】
図１の回路において、まず、映像信号ＶＤは、Ａ／Ｄコンバータ２７に入力される。また、水平同期信号Ｈ及び垂直同期信号Ｖは放電制御タイミング発生回路２４、Ａ／Ｄコンバータ２７、走査数変換部２８、サブフィールド変換部２９に与えられる。Ａ／Ｄコンバータ２７は、映像信号ＶＤをデジタル信号に変換し、その画像データを走査数変換部２８に与える。
【００２４】
走査数変換部２８は、画像データをＰＤＰ２０の画素数に応じたライン数の画像データに変換し、各ライン毎の画像データをサブフィールド変換部２９に与える。サブフィールド変換部２９は、各ライン毎の画像データの各画素データを複数のサブフィールドに対応する複数のビットに分割し、各サブフィールド毎に各画素データの各ビットをアドレスドライバ回路２１にシリアルに出力する。
【００２５】
アドレスドライバ回路２１は、電源回路２５に接続されており、サブフィールド変換部２９から各サブフィールド毎にシリアルに与えられるデータをパラレルデータに変換し、そのパラレルデータに基づいて複数のアドレス電極に電圧を供給する。
【００２６】
放電制御タイミング発生回路２４は、水平同期信号Ｈおよび垂直同期信号Ｖを基準として、放電制御タイミング信号ＳＣ、ＳＵを発生し、各々スキャンドライバ回路２２およびサステインドライバ回路２３に与える。スキャンドライバ回路２２は、出力回路２２１及びシフトレジスタ２２２を有する。また、サステインドライバ回路２３は、出力回路２３１及びシフトレジスタ２３２を有する。これらのスキャンドライバ回路２２及びサステインドライバ回路２３は共通の電源回路２６に接続されている。
【００２７】
スキャンドライバ回路２２のシフトレジスタ２２２は、放電制御タイミング発生回路２４から与えられる放電制御タイミング信号ＳＣを垂直走査方向にシフトしつつ出力回路２２１に与える。出力回路２２１は、シフトレジスタ２２２から与えられる放電制御タイミング信号ＳＣに応答して複数のスキャン電極に順に駆動信号電圧を供給する。
【００２８】
サステインドライバ回路２３のシフトレジスタ２３２は、放電制御タイミング発生回路２４から与えられる放電制御タイミング信号ＳＵを垂直走査方向にシフトしつつ出力回路２３１に与える。出力回路２３１は、シフトレジスタ２３２から与えられる放電制御タイミング信号ＳＵに応答して複数のサステイン電極に順に駆動信号電圧を供給する。
【００２９】
図２にこのプラズマディスプレイ装置の表示駆動回路のタイミングチャートの一例を示しており、図２に示すように、書き込み期間では、全てのサステイン電極ＳＵＳ１〜ＳＵＳＭを０（Ｖ）に保持した後に、第１行目の表示する放電セルに対応する所定のアドレス電極Ｄ１〜ＤＮに正の書き込みパルス電圧＋Ｖｗ（Ｖ）を、第１行目のスキャン電極ＳＣＮ１に負の走査パルス電圧−Ｖｓ（Ｖ）をそれぞれに印加すると、所定のアドレス電極Ｄ１〜ＤＮと第１行目のスキャン電極ＳＣＮ１との交点部において、書き込み放電が起こる。
【００３０】
次に、第２行目の表示する放電セルに対応する所定のアドレス電極Ｄ１〜ＤＮに正の書き込みパルス電圧＋Ｖｗ（Ｖ）を、第２行目のスキャン電極ＳＣＮ２に負の走査パルス電圧−Ｖｓ（Ｖ）をそれぞれに印加すると、所定のアドレス電極Ｄ１〜ＤＮと第２行目のスキャン電極ＳＣＮ２との交点部において書き込み放電が起こる。
【００３１】
上記同様の動作が順次に行われて、最後に第Ｍ行目の表示する放電セルに対応する所定のアドレス電極Ｄ１〜ＤＮに正の書き込みパルス電圧＋Ｖｗ（Ｖ）を、第Ｍ行目のスキャン電極ＳＣＮＭに負の走査パルス電圧−Ｖｓ（Ｖ）をそれぞれに印加すると、所定のアドレス電極Ｄ１〜ＤＮと第Ｍ行目のスキャン電極ＳＣＮＭとの交点部において書き込み放電が起こる。
【００３２】
次の維持期間では、全てのスキャン電極ＳＣＮ１〜ＳＣＮＭを一旦０（Ｖ）に保持すると共に、全てのサステイン電極ＳＵＳ１〜ＳＵＳＭに負の維持パルス電圧−Ｖｍ（Ｖ）を印加すると、書き込み放電を起こした前記交点部におけるスキャン電極ＳＣＮ１〜ＳＣＮＭとサステイン電極ＳＵＳ１〜ＳＵＳＭとの間に維持放電が起こる。次に全てのスキャン電極ＳＣＮ１〜ＳＣＮＭと全てのサステイン電極ＳＵＳ１〜ＳＵＳＭとに負の維持パルス電圧−Ｖｍ（Ｖ）を交互に印加することにより、表示する放電セルにおいて維持放電が継続して起こる。この維持放電の発光によりパネル表示が行われる。
【００３３】
次の消去期間において、全てのスキャン電極ＳＣＮ１〜ＳＣＮＭを一旦０（Ｖ）に保持すると共に、全てのサステイン電極ＳＵＳ１〜ＳＵＳＭに消去パルス電圧−Ｖｅ（Ｖ）を印加すると、消去放電を起こして放電が停止する。
【００３４】
以上の動作により、プラズマディスプレイ装置において、一画面が表示される。
【００３５】
図３に本発明の一実施の形態において、サステインドライバ回路２３の電力回収回路を示している。なお、図３において、図１１に示す回路と同一部分については、同一符号を付している。
【００３６】
図３において、３１、３２はＰＤＰ２０に接続した電力回収回路で、図３では一方の電力回収回路３１のみ具体的な回路を示しているが、他方の電力回収回路３２も同様な構成である。この図３に示す電力回収回路は、ＰＤＰ２０の容量負荷と共振コイルＬ１を用い、いわゆるＬＣ共振でパネルの容量に蓄えた電荷を電力回収用のコンデンサＣ１に充電し、次のパネルへの電力供給時に再利用するものである。
【００３７】
図３に示す電力回収回路では、トランジスタＱ３をオンして、共振コイルＬ１へ電流を流すことにより、共振コイルＬ１はパネル容量と共振してコンデンサＣ１に蓄積された電圧の約２倍の電圧がＰＤＰ２０の容量負荷に印加される。次に、ＬＣ共振時間終了後、すぐにトランジスタＱ１をオンし、完全に維持電圧へ引き上げることにより、パネル内ではこのときに維持放電が発生し、表示として目視できることとなる。
【００３８】
次に、維持放電終了後、次の放電のためにパネルに蓄積された電荷を移動させる動作に移行する。トランジスタＱ４がオンしてパネル容量に蓄積された電荷を共振コイルＬ１に流してＬＣ共振させ、電荷をコンデンサＣ１へ移動させる。ＬＣ共振終了後、トランジスタＱ２をオンさせてパネル容量の電位を完全にＧＮＤへ引き下げる。これが維持回収動作の１サイクルで、実際のプラズマディスプレイ装置では、この動作を維持発光を繰り返すことと回数分繰り返すこととなる。なお、ＩＣ１、ＩＣ２はスイッチング用のトランジスタＱ３、Ｑ４をオン、オフするためのドライバ回路、Ｃ２、Ｃ３はそのドライバ回路ＩＣ１、ＩＣ２の電源用ブートストラップコンデンサである。
【００３９】
ここで、本発明においては、コンデンサＣ１は、維持電圧を抵抗分割するための抵抗Ｒ１、Ｒ２による直列回路の中点電位に接続されている。すなわち、電源起動時には、まず維持電圧が上昇を開始するが、このときコンデンサＣ１は、維持電圧を抵抗分割するための抵抗Ｒ１、Ｒ２の中点電位に接続されているため、コンデンサＣ１と抵抗Ｒ１、Ｒ２の時定数で決まる時間で充電される。このとき、維持回収動作が開始するまでの時間に、コンデンサＣ１の端子電圧が維持電圧のほぼ１／２の電圧になるように時定数を抵抗Ｒ１、Ｒ２の抵抗値で決めておく。
【００４０】
このように維持回収動作の開始直後から、コンデンサＣ１はすでに充電されているので、電力回収回路のスイッチングに使用しているトランジスタＱ１、Ｑ２には、余分なリンギングが発生しない。そのため、耐圧の低いトランジスタを使用しても、信頼性を確保でき、低コストの維持回収回路を構成することが可能となる。
【００４１】
図４にその図３に示す回路の要部の信号波形を示し、図５に従来の電力回収回路における要部の信号波形を示している。この図４、図５に示すように、従来の回路では、電力回収用コンデンサは、維持回収動作が開始しなければ充電動作が行われないため、維持回収開始直後は、回収動作なしでトランジスタが動作して、リンギングが発生しているが、本発明による電力回収回路では、維持回収開始直後であっても、リンギングが発生することがなく、トランジスタＱ１、Ｑ２に余分な電圧が印加されることがなくなり、耐圧の高いトランジスタを使用する必要がない。
【００４２】
なお、図３に示す抵抗分割による充電回路の例以外に、図６に示すように、電源Ｖを設けてダイオードＤｉ５を経由してコンデンサＣ１を充電する充電回路を設けてもよい。
【００４３】
さらに、図７に他の実施形態による電力回収回路を示している。この図７に示す回路においては、図３に示す回路において、さらにトランジスタＱ４のドライバ回路ＩＣ２のブートストラップコンデンサＣ３を、Ｖｃｃに約１Ｖプラスした電圧で動作するツェナーダイオードＺＤ１にダイオードＤｉ４を介して接続し、電源起動時にブートストラップコンデンサＣ３を充電する回路を設けたものである。
【００４４】
図８に図７に示す回路の要部の動作波形を示している。図８に示すように、電源起動時には、まず維持電圧が上昇を開始する。このとき、電力回収用コンデンサＣ１は、維持電圧を抵抗分割した中点電位に接続されているので、コンデンサＣ１と抵抗Ｒ１、Ｒ２、Ｒ３の時定数で決まる時間で充電される。そのため、維持回収動作が開始するまでの時間にコンデンサＣ１の電圧が維持電圧のほぼ１／２の電圧になるように充電される。
【００４５】
また、トランジスタＱ４のドライバ回路ＩＣ２のブートストラップコンデンサＣ３はＶｃｃとほぼ同電圧で動作するツェナーダイオードＺＤ１にダイオードＤｉ４を介して接続されているので、維持回収動作を開始するまでにブートストラップコンデンサＣ３は、十分にＶｃｃまで充電される。すなわち、維持回収動作直後から、コンデンサＣ１、ブートストラップコンデンサＣ３はすでに充電されているので、維持回収回路のスイッチングに使用しているトランジスタＱ１、Ｑ２には、余分なリンギングが発生しない。そのため、耐圧の低いトランジスタを使用しても、信頼性を確保でき、低コストの電力回収回路を構成することが可能となる。なお、Ｒ３、Ｒ４はブートストラップコンデンサＣ３を充電するための抵抗である。
【００４６】
以上のように本発明のプラズマディスプレイ装置によれば、電源起動時に電力回収回路の電力回収用コンデンサを、あらかじめ維持電圧のほぼ１／２の電圧に充電することにより、起動直後から、電力回収回路を安定に動作させることが可能となり、電力回収回路のスイッチングに使用しているトランジスタにかかる電圧を低下させることができる。
【産業上の利用可能性】
【００４７】
以上の説明から明らかなように本発明によれば、電力回収回路に使用するトランジスタとして、耐圧が低いものが使用でき、低コストで信頼性の高い回路を実現できるというプラズマディスプレイ装置にとって有用な発明である。
【図面の簡単な説明】
【００４８】
【図１】本発明の一実施の形態によるプラズマディスプレイ装置の全体構成を示すブロック回路図
【図２】同プラズマディスプレイ装置の駆動方法の一例を示す信号波形図
【図３】同プラズマディスプレイ装置の電力回収回路の回路図
【図４】同回路の電圧波形図
【図５】従来の回路の電圧波形図
【図６】本発明の他の実施の形態による電力回収回路の回路図
【図７】本発明の他の実施の形態による電力回収回路の回路図
【図８】図７に示す回路の電圧波形図
【図９】プラズマディスプレイ装置のパネルの概略構成を示す斜視図
【図１０】同プラズマディスプレイ装置のパネルの電極配列を示す説明図
【図１１】従来の電力回収回路の回路図
【符号の説明】
【００４９】
２０  プラズマディスプレイパネル
２１  アドレスドライバ回路
２２  スキャンドライバ回路
２３  サステインドライバ回路
３１、３２  電力回収回路
Ｑ１、Ｑ２、Ｑ３、Ｑ４  トランジスタ
Ｌ１  共振コイル
Ｃ１  電力回収用コンデンサ
ＩＣ１、ＩＣ２  ドライバ回路
Ｃ２、Ｃ３  ブートストラップコンデンサ
Ｒ１、Ｒ２  抵抗
【図１】
2006058426.tif 000003
【図２】
2006058426.tif 000004
【図３】
2006058426.tif 000005
【図４】
2006058426.tif 000006
【図５】
2006058426.tif 000007
【図６】
2006058426.tif 000008
【図７】
2006058426.tif 000009
【図８】
2006058426.tif 000010
【図９】
2006058426.tif 000011
【図１０】
2006058426.tif 000012
【図１１】
2006058426.tif 000013